(57)【特許請求の範囲】
【請求項１】
車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信する予約要求部を備える走行管理装置と、
前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理部を備えるリソース管理装置と、
を備えることを特徴とする車両制御システム。
【請求項２】
前記リソース管理装置の前記予約管理部は、前記予約要求を送信した車両の予約済みの閉塞区間を示す予約完了情報を前記予約要求の送信元の車両へ送信し、
前記走行管理装置は前記予約完了情報が示す閉塞区間までの各閉塞区間における制限速度パターンを演算する速度演算部を備える
ことを特徴とする請求項１に記載の車両制御システム。
【請求項３】
前記車両が前記走行管理装置を搭載しており、
前記リソース管理装置は前記軌道における所定の範囲毎に設置されており、
前記走行管理装置の予約要求部は、前記予約対象の閉塞区間を含む範囲に対応するリソース管理装置へ、その予約対象の閉塞区間についての前記予約要求を送信する
ことを特徴とする請求項１または請求項２に記載の車両制御システム。
【請求項４】
前記走行管理装置は、前記車両の通過済みの閉塞区間を前記リソース管理装置へ送信する通過情報通知部を備え、
前記リソース管理装置の前記予約管理部は、前記通過済みの閉塞区間を受信すると、その通過済み閉塞区間の情報を予約済みの閉塞区間から未予約の閉塞区間へと更新する
を備えることを特徴とする請求項１から請求項３の何れか一項に記載の車両制御システム。
【請求項５】
前記走行管理装置は、前記予約済みの閉塞区間のキャンセル要求を上位装置より取得した場合には、前記車両の停止制御を行い、当該車両の停止後に前記予約済みの閉塞区間のうち進行方向前方の閉塞区間の予約放棄を前記リソース管理装置へ送信する予約放棄部を備える
ことを特徴とする請求項１から請求項４の何れか一項に記載の車両制御システム。
【請求項６】
前記走行管理装置は車両に搭載されることを特徴とする請求項１から請求項５の何れか一項に記載の車両制御システム。
【請求項７】
前記リソース管理装置は、分岐の無い閉塞区間が複数連続する非分岐連続区間に含まれる各閉塞区間を記憶し、当該非分岐連続区間に含まれる各閉塞区間についての予約済み又は未予約の情報の記憶は行わずに、前記非分岐連続区間を走行する車両の走行順序を記憶し、
前記走行管理装置は、自装置を搭載する車両が前記非分岐連続区間に進入後は当該車両の直前を走行する直前車両の識別情報を前記リソース管理装置から取得して、前記直前車両と通信することにより前記直前車両の位置を検出し、その直前車両の位置と、自装置を搭載する車両の位置とに基づく制動制御を要求する
ことを特徴とする請求項６に記載の車両制御システム。
【請求項８】
前記走行管理装置は前記予約対象の閉塞区間を決定するために、前記リソース管理装置から事前に予約状況の情報を取得することを特徴とする請求項１から請求項７の何れか一項に記載の車両制御システム。
【請求項９】
前記リソース管理装置は前記車両の予約済みの閉塞区間の中に分岐を有する閉塞区間が存在する場合には、その車両に走行方向に基づく当該分岐の転換制御を行う分岐制御部と、
を備えることを特徴とする請求項１から請求項８の何れか一項に記載の車両制御システム。
【請求項１０】
前記走行管理装置は前記車両の予約済みの閉塞区間の中に分岐を有する閉塞区間が存在する場合には、その車両に走行方向に基づく当該分岐の転換制御を行う分岐制御部と、
を備えることを特徴とする請求項１から請求項７の何れか一項に記載の車両制御システム。
【請求項１１】
前記走行管理装置は自装置が搭載されている車両以外の他の車両による予約済み閉塞区間の予約時刻に基づいて自装置が搭載されている車両の走行開始タイミングを決定する
ことを特徴とする請求項１から請求項１０の何れか一項に記載の車両制御システム。
【請求項１２】
車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信する予約要求部と、
前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理部を備える前記リソース管理装置から、当該予約済みの閉塞区間を示す予約完了情報を受信する受信部と、
前記予約完了情報が示す閉塞区間までの各閉塞区間における制限速度パターンを演算する速度演算部と、
を備える走行管理装置。
【請求項１３】
車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信する予約要求部を備える走行管理装置と通信接続し、
前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理部
を備えるリソース管理装置。
【請求項１４】
走行管理装置とリソース管理装置とを備えた車両制御システムの車両制御方法であって、
前記走行管理装置は、車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信し、
前記リソース管理装置は、前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記憶する
ことを特徴とする車両制御方法。
【請求項１５】
走行管理装置とリソース管理装置とを備えた車両制御システムにおける前記走行管理装置のコンピュータに、
車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間を決定し、その予約対象の閉塞区間の予約要求をリソース管理装置へ送信する予約要求手順、
前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理部を備える前記リソース管理装置から、当該予約済みの閉塞区間を示す予約完了情報を受信する受信手順、
前記予約完了情報が示す閉塞区間までの各閉塞区間における制限速度パターンを演算する速度演算手順、
とを実行させるプログラム。
【請求項１６】
車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信する予約要求部を備える走行管理装置と、リソース管理装置とを備えた車両制御システムにおける前記リソース管理装置のコンピュータに、
前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理手順、
を実行させるプログラム。
【発明の詳細な説明】
【技術分野】
【０００１】
本発明は、車両制御システム、走行管理装置、リソース管理装置、車両制御方法、プログラムに関する。
【背景技術】
【０００２】
高密度運行を行う鉄道システムでは、列車の速度を安全に保つためのＡＴＰ(Automatic Train Protection)装置が採用される。ＡＴＰを採用した鉄道システムは、軌道の分岐に存在する転てつ器の転換の制御を旧来と同様の連動装置が担っている。連動装置は進路（閉塞区間）の単位で車両同士の排他制御を行う。連動装置は安全性を担保しながら転てつ器の転換の制御を行う。上記鉄道システムでは地上側に連動装置とＡＴＰ装置とを設置するが、これらの装置は機器が高価な上に、広い機器室を準備する必要がある。連動装置の維持管理は、特殊な技能を持つ信号技術者が「連動図表」と呼ばれる設計資料を作成する必要があるため保守費用がかかる。
【０００３】
このような問題を解決する手段として、車上装置が主体的に無線を介して分岐制御を行うことで、地上設備を簡素化する技術が特許文献１に開示されている。
【先行技術文献】
【特許文献】
【０００４】
【特許文献１】特許第５０４９９９２号公報
【発明の概要】
【発明が解決しようとする課題】
【０００５】
しかしながら上述の特許文献１の技術は、「同一線形パターンの繰り返しで構成される線形（軌道）」においてのみ利用できる技術であり、複雑な線形を有する一般的な都市部の鉄道には適用できない。
【０００６】
そこでこの発明は、上述の課題を解決することのできる車両制御システム、走行管理装置、リソース管理装置、車両制御方法、プログラムを提供することを目的としている。
【課題を解決するための手段】
【０００７】
本発明の第１の態様によれば、車両制御システムは、車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信する予約要求部を備える走行管理装置と、前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理部を備えるリソース管理装置と、を備える。
【０００８】
また上述の車両制御システムにおいて、前記リソース管理装置の前記予約管理部は、前記予約要求を送信した車両の予約済みの閉塞区間を示す予約完了情報を前記予約要求の送信元の車両へ送信し、前記走行管理装置は前記予約完了情報が示す閉塞区間までの各閉塞区間における制限速度パターンを演算する速度演算部を備えてもよい。
【０００９】
また上述の車両制御システムにおいて、前記車両が前記走行管理装置を搭載しており、前記リソース管理装置は前記軌道における所定の範囲毎に設置されており、前記走行管理装置の予約要求部は、前記予約対象の閉塞区間を含む範囲に対応するリソース管理装置へ、その予約対象の閉塞区間についての前記予約要求を送信してもよい。
【００１０】
また上述の車両制御システムにおいて、前記走行管理装置は、前記車両の通過済みの閉塞区間を前記リソース管理装置へ送信する通過情報通知部を備え、前記リソース管理装置の前記予約管理部は、前記通過済みの閉塞区間を受信すると、その通過済み閉塞区間の情報を予約済みの閉塞区間から未予約の閉塞区間へと更新してもよい。
【００１１】
また上述の車両制御システムにおいて、前記走行管理装置は、前記予約済みの閉塞区間のキャンセル要求を上位装置より取得した場合には、前記車両の停止制御を行い、当該車両の停止後に前記予約済みの閉塞区間のうち進行方向前方の閉塞区間の予約放棄を前記リソース管理装置へ送信する予約放棄部を備えてもよい。
【００１２】
また上述の車両制御システムにおいて、前記走行管理装置は車両に搭載されてもよい。
【００１３】
また上述の車両制御システムにおいて、前記リソース管理装置は、分岐の無い閉塞区間が複数連続する非分岐連続区間に含まれる各閉塞区間を記憶し、当該非分岐連続区間に含まれる各閉塞区間についての予約済み又は未予約の情報の記憶は行わずに、前記非分岐連続区間を走行する車両の走行順序を記憶し、前記走行管理装置は、自装置を搭載する車両が前記非分岐連続区間に進入後は当該車両の直前を走行する直前車両の識別情報を前記リソース管理装置から取得して、前記直前車両と通信することにより前記直前車両の位置を検出し、その直前車両の位置と、自装置を搭載する車両の位置とに基づく制動制御を要求してもよい。
【００１４】
また上述の車両制御システムにおいて、前記走行管理装置は前記予約対象の閉塞区間を決定するために、前記リソース管理装置から事前に予約状況の情報を取得してもよい。
【００１５】
また上述の車両制御システムにおいて、前記リソース管理装置は前記車両の予約済みの閉塞区間の中に分岐を有する閉塞区間が存在する場合には、その車両に走行方向に基づく当該分岐の転換制御を行う分岐制御部と、を備えてもよい。
【００１６】
また上述の車両制御システムにおいて、前記走行管理装置は前記車両の予約済みの閉塞区間の中に分岐を有する閉塞区間が存在する場合には、その車両に走行方向に基づく当該分岐の転換制御を行う分岐制御部と、を備えてもよい。
【００１７】
また上述の車両制御システムにおいて、前記走行管理装置は自装置が搭載されている車両以外の他の車両による予約済み閉塞区間の予約時刻に基づいて自装置が搭載されている車両の走行開始タイミングを決定してもよい。
【００１８】
また本発明の第２の態様によれば、車両制御方法は、走行管理装置とリソース管理装置とを備えた車両制御システムの車両制御方法であって、前記走行管理装置は、車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信し、前記リソース管理装置は、前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記憶する。
【００１９】
また本発明の第３の態様によれば、走行管理装置は、車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信する予約要求部と、前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理部を備える前記リソース管理装置から、当該予約済みの閉塞区間を示す予約完了情報を受信する受信部と、前記予約完了情報が示す閉塞区間までの各閉塞区間における制限速度パターンを演算する速度演算部と、を備える。
【００２０】
また本発明の第４の態様によれば、リソース管理装置は、車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信する予約要求部を備える走行管理装置と通信接続し、前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理部を備える。
【００２１】
また本発明の第５の態様によれば、走行管理装置とリソース管理装置とを備えた車両制御システムの車両制御方法において、前記走行管理装置は、車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信し、前記リソース管理装置は、前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記憶する。
【００２２】
また本発明の第６の態様によれば、プログラムは、走行管理装置とリソース管理装置とを備えた車両制御システムにおける前記走行管理装置のコンピュータに、車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間を決定し、その予約対象の閉塞区間の予約要求をリソース管理装置へ送信する予約要求手順、前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理部を備える前記リソース管理装置から、当該予約済みの閉塞区間を示す予約完了情報を受信する受信手順、前記予約完了情報が示す閉塞区間までの各閉塞区間における制限速度パターンを演算する速度演算手順、とを実行させる。
【００２３】
また本発明の第７の態様によれば、プログラムは、車両が走行する軌道を構成する複数の閉塞区間とそれら閉塞区間の接続関係とを示す軌道情報に基づいて前記車両が走行する軌道に含まれる複数の閉塞区間のうち予約対象の閉塞区間の予約要求をリソース管理装置へ送信する予約要求部を備える走行管理装置と、リソース管理装置とを備えた車両制御システムにおける前記リソース管理装置のコンピュータに、前記予約要求が示す前記予約対象の閉塞区間がその予約要求を受信した時点で前記予約要求を送信した車両以外の車両によって予約されていない場合、前記予約要求が示す前記予約対象の閉塞区間を前記予約要求を送信した車両の予約済みの閉塞区間と記録する予約管理手順を実行させる。
【発明の効果】
【００２４】
本発明によれば、連動装置やＡＴＰ装置を用いずに軌道を走行する車両の走行制御を行うことができる。
【図面の簡単な説明】
【００２５】
【図１】本発明の一実施形態による車両制御システムの構成を示す図である。
【図２】本発明の一実施形態による走行管理装置とリソース管理装置の機能ブロック図である。
【図３】車両１の走行する軌道を構成する各閉塞区間を示している。
【図４】車両１の走行する軌道を構成する各閉塞区間の接続関係を示す図である。
【図５】走行管理装置の記憶する軌道情報を示す図である。
【図６】車両の走行経路を示す図である。
【図７】リソース管理装置が記憶する予約管理テーブルを示す図である。
【図８】車両制御システムの処理フローを示す図である。
【図９】制限速度パターンと予約状況を示す図である。
【図１０】第二の実施形態によるリソース管理装置の設置状態を示す図である。
【図１１】第二の実施形態による走行管理装置が記憶するリソース管理装置情報を示す図である。
【図１２】第三の実施形態による処理概要を示す図である。
【図１３】第七の実施形態による車両制御システムを示す図である。
【図１４】第八の実施形態による車両制御システムを示す図である。
【発明を実施するための形態】
【００２６】
＜第一の実施形態＞
以下、本発明の第一の実施形態による車両制御システムを図面を参照して説明する。
図１は本発明の第一の実施形態による車両制御システムの構成を示す図である。
図１は車両制御システム１０を示している。車両制御システム１０は、図１に示すように、運行管理装置２と、車両１に搭載された車上信号装置３と、リソース管理装置４とを備えている。運行管理装置２と車上信号装置３とは無線信号により接続する。運行管理装置２は運行の為の情報を車上信号装置３へ出力する。車上信号装置３は走行管理装置３０を備えている。車上信号装置３とリソース管理装置４とは無線信号により接続する。車両は軌道を走行する。軌道は複数の閉塞区間により構成される。車上信号装置３の走行管理装置３０はリソースである各閉塞区間の予約管理を行うためにリソース管理装置４と情報を送受信する。
【００２７】
詳細に説明すると、走行管理装置３０は、車両１が走行する軌道を構成する複数の閉塞区間とそれら閉塞区間の接続関係とを示す軌道情報に基づいて車両１が走行する軌道に含まれる複数の閉塞区間を特定する。走行管理装置３０は、その特定した複数の閉塞区間のうち現在車両が存在する閉塞区間より先に位置する予約対象の閉塞区間を決定する。走行管理装置３０は、その予約対象の閉塞区間の予約要求をリソース管理装置４へ送信する。
リソース管理装置４は、予約要求が示す予約対象の閉塞区間がその予約要求を受信した時点で予約要求を送信した車両１以外の車両によって予約されているかを判定する。リソース管理装置４は車両１以外の車両によって予約対象の閉塞区間が予約されていない場合、予約要求が示す予約対象の閉塞区間を予約要求を送信した車両１の予約済みの閉塞区間として記録する。
【００２８】
図２は本発明の第一の実施形態による車上信号装置、走行管理装置、リソース管理装置の機能ブロック図である。
車上信号装置３は、走行管理装置３０の他、自装置内に速度演算部３１０、走行制御部３２０の各処理部を有している。
走行管理装置３０は、走行経路特定部３１、予約要求部３２、通過情報通知部３３、予約放棄部３４、制御部３５、通信部３６の各処理部と、記憶部３７を有している。
【００２９】
リソース管理装置４は、予約管理部４１、分岐制御部４４、制御部４５、通信部４６の各処理部と、記憶部４７を有している。
【００３０】
走行管理装置３０の走行経路特定部３１は、複数の閉塞区間とそれら閉塞区間の接続関係とを示す軌道情報に基づいて車両１が走行する軌道に含まれる複数の閉塞区間を特定する。
予約要求部３２は、走行経路特定部３１の特定した複数の閉塞区間のうち現在車両１が存在する閉塞区間より先に位置する予約対象の閉塞区間を決定する。予約要求部３２は、その予約対象の閉塞区間の予約要求をリソース管理装置４へ送信する。
【００３１】
リソース管理装置４の予約管理部４１は、予約要求が示す予約対象の閉塞区間がその予約要求を受信した時点で予約要求を送信した車両１以外の車両によって予約されていないを判定する。予約管理部４１は車両１以外の車両によって予約されていないと判定した場合、予約要求が示す予約対象の閉塞区間を、予約要求を送信した車両１の予約済みの閉塞区間と記録する。
【００３２】
車上信号装置３の速度演算部３１０は、予約完了情報が示す閉塞区間までの各閉塞区間における制限速度パターンを演算する。
車上信号装置３の走行制御部３２０は、制限速度パターンや上位装置からの信号に基づいてブレーキ等の停止制御を行う。
【００３３】
走行管理装置３０の通過情報通知部３３は、車両１の通過済みの閉塞区間をリソース管理装置４へ送信する。
走行管理装置３０の予約放棄部３４は、予約済みの閉塞区間のキャンセル要求を上位装置より取得した場合には、車両１の停止制御を行い、当該車両の停止後に予約済みの閉塞区間のうち進行方向前方の閉塞区間の予約放棄をリソース管理装置４へ送信する。
【００３４】
リソース管理装置４の分岐制御部４４は、車両の予約済みの閉塞区間の中に分岐を有する閉塞区間が存在する場合には、その車両に走行方向に基づく分岐（転てつ器）の転換制御を行う。
リソース管理装置４において制御部４５は装置内の各処理部を制御する。リソース管理装置４の通信部４６は車上信号装置３と通信を行う。記憶部４７はリソース管理の為の情報を記憶する。
【００３５】
図３は車両の走行する軌道を構成する各閉塞区間を示す図である。
車両１の走行する軌道は、Ａ１ＨＴ，Ａ２ＨＴ，Ａ１ＷＴ，Ａ２ＷＴ，Ａ３ＷＴ，Ａ４ＷＴ，１Ｔ，２Ｔ，３Ｔ，４Ｔ，５Ｔ，６Ｔ，７Ｔ，８Ｔ，９Ｔ，１０Ｔ，Ｂ１ＷＴ，Ｂ２ＷＴ，Ｂ３ＷＴ，Ｂ４ＷＴ，Ｂ１ＨＴ，Ｂ２ＨＴの識別情報で表される各閉塞区間により構成される軌道であるとする。Ａ１ＷＴ，Ａ２ＷＴ，Ａ３ＷＴ，Ａ４ＷＴ，Ｂ１ＷＴ，Ｂ２ＷＴ，Ｂ３ＷＴ，Ｂ４ＷＴの８つの閉塞区間は分岐を有している。分岐を有する閉塞区間において転てつ器が定位側の位置に設定されている状態においてその閉塞区間を車両が走行する必要がある場合には、その閉塞区間の識別情報には「−Ｎ」を付与して表す。分岐を有する閉塞区間において転てつ器が反位側の位置に設定されている状態においてその閉塞区間を車両が走行する必要がある場合には、その識別情報には「−Ｒ」を付与して表す。例えば閉塞区間Ａ１ＷＴについて、転てつ器が定位側に位置するよう制御されている場合の閉塞区間が車両１により利用される必要がある場合には、その閉塞区間の識別情報をＡ１ＷＴ−Ｎと表す。閉塞区間Ａ１ＷＴについて、転てつ器が反位側に位置するよう制御されている場合の閉塞区間が車両１により利用される必要がある場合には、その閉塞区間の識別情報をＡ１ＷＴ−Ｒと表す。
【００３６】
図４は車両１が走行しうる軌道を構成する各閉塞区間の接続関係を示す図である。
図４で示す接続関係のうちの幾つかを説明すると、閉塞区間Ａ１ＷＴ−Ｎは、閉塞区間Ａ３ＷＴ−Ｎと、閉塞区間Ａ３ＷＴ−Ｒと接続関係を有する。また閉塞区間Ａ３ＷＴ−Ｎは、閉塞区間Ａ１ＷＴ−Ｎと閉塞区間Ａ１ＷＴ−Ｒと接続関係を有する。このように図４では接続関係のある閉塞区間を、直線で結んだ例を示している。
【００３７】
図５は走行管理装置の記憶する軌道情報を示す図である。
走行管理装置３０の記憶部３７は、車両１が走行する軌道を構成する複数の閉塞区間の各識別情報とそれら閉塞区間の接続関係とを示す軌道情報を記憶する。軌道情報の一つは閉塞区間一覧情報である。閉塞区間一覧情報には軌道を構成する複数の閉塞区間の各識別情報（閉塞区間名）が含まれる。軌道情報の他の一つは閉塞区間の接続関係（図４参照）である。閉塞区間の接続関係の情報には接続関係のある２つの閉塞区間の各組み合わせが、車両１の走行する軌道の全ての閉塞区間について保持される。
【００３８】
図６は車両の走行経路を示す図である。
図６が示す矢印Ｙは、車両１が図３と同様の軌道においてＡ２ＨＴ，Ａ２ＷＴ−Ｒ，Ａ１ＷＴ−Ｒ，Ａ３ＷＴ−Ｎ，１Ｔ，３Ｔ，５Ｔ，７Ｔ，９Ｔ，Ｂ１ＷＴ−Ｎ，Ｂ３ＷＴ−Ｎ，Ｂ１ＨＴの各識別情報で示される閉塞区間を、その記載の順に走行することを表している。
【００３９】
図７はリソース管理装置が記憶する予約管理テーブルを示す図である。
リソース管理装置４は予約管理テーブル７１を作成して記憶部３７に登録し、またその予約管理テーブル７１の内容を更新する。予約管理テーブル７１は図７に示すように、閉塞区間の識別情報、分岐状態、分岐要求状態、予約者識別情報、管理状態の各情報を少なくとも対応付けて保持するデータテーブルである。分岐状態は、分岐を有する閉塞区間について転てつ器が定位側（−Ｎ）に設定されているか、反位側（−Ｒ）に設定されているかを記憶する情報である。閉塞区間が分岐を有さない場合には分岐状態には「−」の情報が設定される。分岐要求状態は、車両が予約を希望している閉塞区間のうち分岐を有する閉塞区間の転てつ器の設定方向である。この設定方向は車両側が予約要求において指定するものであってよい。予約者識別情報は閉塞区間の予約を行った予約元（車両、指令所、駅など）の識別情報を記憶する情報である。管理状態は閉塞区間の現在の閉塞区間の管理状態（不定、予約中、予約完了、在線、故障）を示す情報である。なお管理状態において「不定」は車両によって予約されていない状況を示す。リソース管理装置４はこの予約管理テーブル７１の情報を更新する処理を主に行う。リソース管理装置４は図５で示した閉塞区間の各識別情報と、それら閉塞区間の接続関係とを示す軌道情報のデータを更に記憶部４７に記憶している。
【００４０】
図８は車両制御システムの処理フローを示す図である。
次に車両制御システムの処理フローについて説明する。
車両制御システム１０においてまず運行管理装置２は車両１の走行する軌道に関する軌道情報を、無線通信を介して車両１に搭載された車上信号装置３へ送信する。この軌道情報は指令担当者が、車両１に走行させたい軌道の各閉塞区間を示すものであってよい。車上信号装置３は軌道情報を走行管理装置３０へ出力する。走行管理装置３０の通信部３６は軌道情報を取得する。制御部３５は通信部３６の取得した軌道情報を記憶部３７に登録する（ステップＳ１０１）。
【００４１】
この状態において走行管理装置３０の走行経路特定部３１は軌道情報を記憶部３７から読み取る。走行経路特定部３１は軌道情報に基づいて、車両１が走行する軌道に含まれる複数の閉塞区間を特定する（ステップＳ１０２）。軌道情報は既に車両１に走行させると予め決定されている軌道を構成する閉塞区間の識別情報を含む情報であってよい。または軌道情報は車両１が任意に選択できる複数の経路の軌道それぞれを構成する閉塞区間の識別情報を含む情報であってよい。走行経路特定部３１は軌道情報に含まれる複数の閉塞区間の識別情報に基づいて特定の始点から特定の終点までを結ぶ複数の経路を任意に選択できる場合には、所定の経路選択アルゴリズム（グラフ理論や経路探索技術など）を利用して特定した経路上の軌道に含まれる閉塞区間を特定してもよい。走行経路特定部３１は特定した閉塞区間を予約要求部３２へ出力する。予約要求部３２は取得した閉塞区間の情報を予約対象の閉塞区間の情報と特定する。予約要求部３２は予約対象の閉塞区間の識別情報を含む予約要求を、無線通信を介してリソース管理装置４へ送信する（ステップＳ１０３）。予約要求には車両１が現在位置する閉塞区間の情報が含まれていてもよい。予約要求部３２は、予約要求に含む閉塞区間に分岐が存在するかどうかを記憶部３７に記録されている予約管理テーブルに同期している情報から判定し、分岐が存在する場合には転てつ器が定位側（−Ｎ）と反位側（−Ｒ）のどちらに設定されるべきかを示す分岐要求状態を予約要求に格納する。
【００４２】
リソース管理装置４の予約管理部４１は、予約要求を受信する。予約管理部４１は予約要求に含まれる閉塞区間の識別情報を読み取る。予約管理部４１は、その読み取った閉塞区間のそれぞれについての管理状態の情報を予約管理テーブル７１から読み取る。予約管理部４１は予約要求に含まれる閉塞区間の中から管理状態が不定となっている閉塞区間を特定する。予約管理部４１は予約者識別情報として車両１の識別情報に設定され、かつ管理状態「在線」となっている閉塞区間の識別情報を予約管理テーブル７１から特定する。予約管理部４１はその特定した閉塞区間の識別情報を、車両１が現在位置する閉塞区間と判定する。予約管理部４１は予約要求に含まれる閉塞区間の中から管理状態が不定となっている閉塞区間のうち、車両１が現在位置する閉塞区間から順に連続して管理状態が不定となっている１つまたは複数の閉塞区間を、車両１の予約済み閉塞区間と特定する（ステップＳ１０４）。予約管理部４１は、車両１の予約済み閉塞区間の識別情報に対応する予約管理テーブル中の予約者識別情報として車両１の識別情報を記録する。予約管理部４１は、車両１の予約済み閉塞区間の識別情報に対応する予約管理テーブル中の管理状態として予約完了を記録する。予約管理部４１は、予約要求に含まれていた各閉塞区間の識別情報に基づいて、その識別情報に対応付けられて予約管理テーブル７１に記録されているテーブル情報（分岐状態、分岐要求状態、予約者識別情報、管理状態）を読み取る。予約管理部４１は読み取ったテーブル情報を含む予約完了情報を、車両１の識別情報に基づいて特定した通信先（車両１の搭載している車上信号装置２）へ無線通信を介して送信する（ステップＳ１０５）。予約管理部４１は予約要求に含まれる閉塞区間のうち車両１が在線する閉塞区間と接続関係にある閉塞区間が「予約中」、「予約完了」、「在線」、「故障」の何れかである場合には、予約不成立を示す情報を車両１の識別情報に基づいて特定した通信先へ送信してよい。
【００４３】
車上信号装置３は予約完了情報を受信すると走行管理装置３０へその予約完了情報を出力する。走行管理装置３０は予約完了情報を記憶部３７に記録する。予約完了情報には予約管理テーブル７１のテーブル情報（分岐状態、分岐要求状態、予約者識別情報、管理状態）が含まれてよい。このため予約完了情報には、予約管理テーブル７１のうち車両１が走行する軌道を含む閉塞区間についての情報を全て含んでいてよい。車上信号装置３の速度演算部３１０は記憶部３７に記録されている予約完了情報に基づいて車両１の予約済み（予約完了）の閉塞区間を取得する。速度演算部３１０は予約済みの閉塞区間における制限速度パターンを演算する。なお制限速度パターンの演算方法は様々であり、限定するものではない。例えば速度演算部３１０は軌道脇の地上に設けられたＡＴＰ装置と通信して各閉塞区間の制限速度を取得して、その制限速度に基づいて各閉塞区間における制限速度パターン（各閉塞区間における速度の制限値）を演算するようにしてもよい。また最も走行方向の前方の予約済みの閉塞区間までの距離に応じて制限速度パターンを演算するようにしてもよい。車上信号装置３の走行制御部３２０は制限速度パターンに基づいて、制限速度パターンを超えない車両１の速度制御を行う。速度演算部３１０は、ＡＴＰ装置から取得した勾配情報を用いて制限速度パターンを演算してもよい。速度演算部３１０は運行管理装置２から無線通信を介して取得した情報に基づいて制限速度パターンを演算してもよい。
【００４４】
図９は制限速度パターンと予約状況を示す図である。
車両１が図３と同様の軌道においてＡ２ＨＴ，Ａ２ＷＴ−Ｒ，Ａ１ＷＴ−Ｒ，Ａ３ＷＴ−Ｎ，１Ｔ，３Ｔ，５Ｔ，７Ｔ，９Ｔ，Ｂ１ＷＴ−Ｎ，Ｂ３ＷＴ−Ｎ，Ｂ１ＨＴを走行するとする。図９はこの走行経路が示す軌道を構成する閉塞区間のうち、Ａ２ＨＴ，Ａ２ＷＴ−Ｒ，Ａ１ＷＴ−Ｎ，Ａ３ＷＴ−Ｎ，１Ｔ，３Ｔ，５Ｔ，７Ｔの各閉塞区間を予約したことを示している。この場合車両１の速度演算部３１０は図９のＰで示す制限速度パターンを演算する。図９の図において縦方向は速度を示す。速度閉塞区間９Ｔより先の予約ができていないため、図９の制限速度パターンは、閉塞区間７Ｔの途中において制限速度が０となる例を示している。
【００４５】
通過情報通知部３３は現在の車両１が走行する閉塞区間を検知する（ステップＳ１０６）。例えば通過情報通知部３３は、車上信号装置３が地上側のＡＴＰ装置から閉塞区間の情報を取得してもよいし、ＧＰＳから得た現在の車両１の位置に基づいて現在走行している閉塞区間を検知してもよい。通過情報通知部３３は現在の車両の走行する閉塞区間の情報に基づいて、通過した閉塞区間の識別情報を特定する処理を繰り返す。通過情報通知部３３は新しく通過した閉塞区間の識別情報と車両１の識別情報とを含む通過情報を、リソース管理装置４へ送信する（ステップＳ１０７）。リソース管理装置４の予約管理部４１は通過情報に含まれる閉塞区間の識別情報を取得する。予約管理部４１は通過情報に含まれる閉塞区間の識別情報と車両１の識別情報の組み合わせに対応して予約管理テーブルに記録されている管理状態の情報を不定に書き換える（ステップＳ１０８）。予約管理部４１は、車両１の識別情報に基づいて、その識別情報に対応付けられて予約管理テーブル７１に記録されているテーブル情報（分岐状態、分岐要求状態、予約者識別情報、管理状態）を読み取る。予約管理部４１は読み取ったテーブル情報を、車両１の識別情報に基づいて特定した通信先（車両１の搭載している車上信号装置２）へ無線通信を介して送信する。
【００４６】
車上信号装置３はテーブル情報を受信すると走行管理装置３０へそのテーブル情報を出力する。走行管理装置３０はテーブル情報に基づいて記憶部３７を更新する。この更新処理を行うことで走行管理装置３０は車両１の予約管理テーブルの情報をリソース管理装置４の記憶する情報と同期させるようにしてもよい。
【００４７】
リソース管理装置４の分岐制御部４４は、記憶部４７に記録されている予約管理テーブルの情報に基づいて分岐を有する閉塞区間に設けられた転てつ器の方向を制御するようにしてもよい。分岐制御部４４は、予約管理テーブル７１の管理状態を新たに予約中へと更新すると判定した閉塞区間のうち、分岐を有する閉塞区間を特定する。分岐制御部４４は管理状態を新たに予約中へと更新すると判定した閉塞区間のうち分岐を有する閉塞区間の分岐要求状態と、分岐状態とを比較する。分岐制御部４４は、分岐状態が分岐要求状態に一致していない場合には、その分岐状態と分岐要求状態とが一致するように、その閉塞区間の転てつ器の方向の転換指示を転てつ器へ送信する。これにより転てつ器の方向が転換する。分岐制御部４４は管理状態を新たに予約中へと更新すると判定した閉塞区間のうち分岐を有する閉塞区間の分岐要求状態と、分岐状態とが一致した後に、その閉塞区間の管理状態を不定から予約中へと更新する。
【００４８】
走行管理装置３０は、上位装置から予約済みの閉塞区間のキャンセル信号を受信するようにしてもよい。上位装置は運行管理装置２であってもよいし、駅や中央司令室に設置されている非常装置であってもよい。走行管理装置３０は上位装置からキャンセル信号を受信する（ステップＳ２０１）。走行管理装置３０は走行制御部３２０へ緊急制動の要求を出力する。走行制御部３２０は非常または通常のブレーキ制御を行い、車両１を停止させる。予約放棄部３４は、車両１が位置する閉塞区間の識別情報と、車両１の識別情報とを含む予約放棄情報をリソース管理装置４へ無線通信を介して送信する（ステップＳ２０２）。リソース管理装置４の予約管理部４１は予約放棄情報に含まれる車両１の識別情報と現在車両１が位置する閉塞区間の識別情報を取得する。予約管理部４１は、車両１の識別情報に対応付けられて予約管理テーブル７１に記録されている管理状態のうち、現在車両１が位置する閉塞区間の識別情報に対応付けられている管理状態以外の管理状態を、予約中から不定に書き換える（ステップＳ２０３）。これによりリソース管理装置４は、車両１の緊急制動に基づく車両１の進行方向前方の閉塞区間の予約放棄の処理をすることができる。
【００４９】
以上本発明の第一の実施形態について説明したが、上述の処理によれば、車両制御システム１０は、閉塞区間の管理の処理を行うために地上設備としての連動装置とＡＴＰ装置とを必要とせず、閉塞区間の管理を制御することができる。つまり上述の車両制御システム１０では閉塞区間の予約管理において、リソース管理装置４が予約要求を早く行った車両の順番で閉塞区間の予約受付を行う。この時リソース管理装置は軌道間の関連を考えずに独立に軌道毎の予約を管理する。これにより車両制御システム１０の保守管理において、リソース管理装置４が複雑な論理処理を行うものではなく、また特殊技能を要する連動装置のロジック設計が必要ないため、安価で容易に車両制御の仕組みを構築することができる。また通常の連動装置では接近鎖錠と呼ばれる鎖錠制御時において車両が特定の閉塞区間から出たことを補償するための時間を確保して、その間、他の車両１に閉塞区間が予約されないよう制御していた。しかし上述の車両制御システム１０の処理では車両の位置が判定できるため、そのような車両が特定の閉塞区間から出たことを補償するための時間を確保する処理を行う必要がなく、車両の進路キャンセル（予約放棄）における他の車両による予約確保を迅速に行うことができる。また上述の処理によれば車両制御システム１０は、任意の走行経路の線形に対応した閉塞区間の予約制御等の車両運行の管理を行うことができる。
【００５０】
＜第二の実施形態＞
図１０は第二の実施形態によるリソース管理装置の設置状態を示す図である。
図１１は第二の実施形態による走行管理装置が記憶するリソース管理装置情報を示す図である。
第一の実施形態ではリソース管理装置４が車両制御ステム１０において１つ有する場合の例を示した。しかしながらリソース管理装置４は、車両の軌道における所定の範囲毎に複数設置されるようにしてもよい。この場合、走行管理装置３０の予約要求部３２は、複数のリソース管理装置４のうち、自装置を搭載する車両が現在走行している予約対象の閉塞区間を含む範囲に設置されているリソース管理装置４へ、その予約対象の閉塞区間についての予約要求を送信する。
【００５１】
例えば図１０で示すように、図３で示した軌道を用いて説明すると、走行管理装置３０の予約要求部３２は、走行管理装置３０を搭載する車両がＡ１ＨＴ，Ａ２ＨＴ，Ａ１ＷＴ，Ａ２ＷＴ，Ａ３ＷＴ，Ａ４ＷＴの６つの閉塞区間の何れかに位置する場合、第１のリソース管理装置４＃１へ予約要求を送信する。
また予約要求部３２は、走行管理装置３０を搭載する車両が１Ｔ，２Ｔ，３Ｔ，４Ｔ，５Ｔ，６Ｔ，７Ｔ，８Ｔ，９Ｔ，１０Ｔの１０閉塞区間の何れかに位置する場合、第２のリソース管理装置４＃２へ予約要求を送信する。
また予約要求部３２は、走行管理装置３０を搭載する車両がＢ１ＷＴ，Ｂ２ＷＴ，Ｂ３ＷＴ，Ｂ４ＷＴ，Ｂ１ＨＴ，Ｂ２ＨＴの６つの閉塞区間の何れかに位置する場合、第３のリソース管理装置４＃３へ予約要求を送信する。
【００５２】
予約要求部３２は、図１１で示すリソース管理装置情報を用いて予約要求の送信先のリソース管理装置４を特定する。リソース管理装置情報は閉塞区間の識別情報と、リソース管理装置の識別情報の関係を対応付けて記憶している。
予約要求部３２は予約対象の閉塞区間を含む範囲に設置されているリソース管理装置４が複数ある場合には、それら複数のリソース管理装置４へそれぞれの範囲が受け持つ閉塞区間についての予約要求を送信するようにしてもよい。
【００５３】
第二の実施形態の車両制御システム１０によれば走行管理装置３０は、自装置が搭載されている車両の位置に比較的近い位置に設置されているリソース管理装置と通信して閉塞区間の予約を行うことができるため、閉塞区間の予約の為の処理速度を向上させることができ、この結果、走行管理装置３０は、制限速度パターンの演算のタイミングを早くすることができる。またそれぞれのリソース管理装置４は自装置に割り当てられた範囲に位置する閉塞区間の情報のみを管理すればよいため一つずつのリソース管理装置４の処理量を軽減すること、規模縮小を図ることができる。また分岐の近くにリソース管理装置４を設置することが可能となるため、機器室への配置自由度が大きくなり、分岐装置への配線も容易となる。
【００５４】
＜第三の実施形態＞
図１２は第三の実施形態による処理概要を示す図である。
リソース管理装置４は、分岐の無い閉塞区間が複数連続する非分岐連続区間に含まれる各閉塞区間を予約管理テーブル７１に記憶し、その非分岐連続区間に含まれる各閉塞区間についての予約済み又は未予約の情報の記憶は行わずに、非分岐連続区間を走行する車両の走行順序のみを記憶するようにしてもよい。
【００５５】
この場合、予約管理テーブル７１は図７の情報に加えて、非分岐連続区間の識別情報を保持する。非分岐連続区間の識別情報に対応づかない閉塞区間は非分岐連続区間には含まれない閉塞区間である。また第三の実施形態の場合には、リソース管理装置４と走行管理装置３０は走行順序テーブルを記憶する。走行順序テーブルは、非分岐連続区間の識別情報と、非分岐連続区間に位置する各車両の順序の情報とを記憶する。リソース管理装置４は、走行管理装置３０から車両１の位置する閉塞区間の識別情報を定期的（所定時間毎）に取得する（ステップＳ３０１）。リソース管理装置４の予約管理部４１は、取得した閉塞区間の識別情報と、非分岐連続区間の識別情報とを比較することにより、車両１の位置する閉塞区間が非分岐連続区間であるかどうかを判定する。なお走行管理装置３０が自ら自装置を搭載する車両１の位置に基づいて、車両１の位置する閉塞区間が非分岐連続区間であるかどうかを判定するようにしてもよい。
【００５６】
予約管理部４１は、車両１の位置する閉塞区間が非分岐連続区間であると判定した場合には、車両１の識別情報と、非分岐連続区間の識別情報と、その非分岐連続区間において走行する車両のうちの車両１の走行順序とを、走行順序テーブルに記録する。リソース管理装置４の予約管理部４１は、走行順序テーブルの情報を車両１の走行管理装置３０へ送信する（ステップＳ３０２）。これにより、走行管理装置３０が走行順序テーブルの情報を保持してもよい。走行管理装置３０は、定期的な確認に基づいて、走行順序テーブルに自装置を搭載する車両の識別情報が記録されていると判定した場合には、非分岐連続区間に進入したことを検知することができる。
【００５７】
第三の実施形態の場合、走行管理装置３０は、自装置を搭載する車両が非分岐連続区間に進入後は、その車両の直前を走行する直前車両の識別情報を取得する（ステップＳ３０３）。具体的には走行管理装置３０は、記憶部３７に記録されている走行順序テーブルから自装置を搭載する車両の走行する非分岐連続区間と走行順序とを取得する。走行管理装置３０は、自装置を搭載する車両の走行順序の１つ前の走行順序の情報と、同じ非分岐連続区間の識別情報との組み合わせに対応づけられて走行順序テーブルに記録されている他の車両の識別情報を取得する。その取得した他の車両の識別情報は、走行管理装置３０を搭載する車両の直前を走行する車両の識別情報である。走行管理装置３０はその直前を走行する車両の識別情報や通信先情報を、記憶部３７から取得して、その直前を走行する車両と通信する。走行管理装置３０は直前を走行する車両との通信に基づいて、その直前を走行する車両の位置、速度などを問い合わせる。走行管理装置３０は、直前を走行する車両の位置、速度などを取得すると速度演算部３１０へ出力し制動制御を要求する。速度演算部３１０は直前を走行する車両の位置、速度などの情報を更に用いて制限速度パターンを演算する。走行管理装置３０は車両１の走行する位置が非分岐連続区間を通過した場合にはリソース管理装置４へそのことを通知してもよい。車両１の走行する位置が非分岐連続区間を通過したかどうかをリソース管理装置４が車両１の位置する閉塞区間の情報等から判定するようにしてもよい。
【００５８】
第三の実施形態の処理によれば非分岐連続区間に位置する車両同士で通信し、制動制御を行うので、その区間におけるリソース管理装置４の閉塞区間の予約管理が不要となり、リソース管理装置４の処理量を軽減することができる。また非分岐連続区間に位置する車両同士の通信で車両の制動制御ができるので、遠隔のリソース管理装置４に通信する必要がなく、通信にかかる時間を省き、走行する車両の所定区間における車両密度を向上させ、輸送力を向上させることができる。
【００５９】
＜第四の実施形態＞
走行管理装置３０の走行経路特定部３１は、リソース管理装置４から事前に取得した予約状況の情報を用いて予約対象の閉塞区間を決定するようにしてもよい。具体的には、走行管理装置３０の走行経路特定部３１は軌道情報から予約されていない（不定）の閉塞区間の識別情報を検出する。走行経路特定部３１は、任意に選択できる複数の経路の軌道のうち、予約されていない閉塞区間によって構成される軌道を特定し、その軌道に含まれる各閉塞区間を予約対象と決定する。
【００６０】
＜第五の実施形態＞
走行管理装置３０は更に分岐制御部を備え、リソース管理装置４の分岐制御部４４の処理と同様の処理を行うようにしてもよい。つまり走行管理装置３０の分岐制御部は、車両１の予約済みの閉塞区間の中に分岐を有する閉塞区間が存在する場合には、その車両１の走行方向に基づく分岐の転てつ器の転換指示を、その転てつ器に対して送信するようにしてもよい。
【００６１】
＜第六の実施形態＞
走行管理装置３０は自装置が搭載されている車両１以外の他の車両による予約済み閉塞区間の予約時刻に基づいて自装置が搭載されている車両の走行開始タイミングを決定するようにしてもよい。この場合、リソース管理装置４が生成する予約管理テーブル７１には、さらに予約時刻が各閉塞区間の識別情報に対応付けられて保持される。走行管理装置３０は、現在時刻から所定時間前までの時刻の間に所定の数以上の新たな車両識別情報についての予約中の情報が予約管理テーブル７１に登録されたかどうかを判定する。走行管理装置３０は、現在時刻から所定時間前までの時刻の間に所定の数以上の新たな車両識別情報についての予約中の情報が予約管理テーブル７１に登録された場合には、同時出発した車両が多いと判断する。この場合、走行管理装置３０は停止している自車両の走行開始を所定時間遅らせると判断するようにしてもよい。このような走行開始タイミングの制御をおこなうことにより、車両制御システムは、電力の異常な負荷を抑制することができる。
【００６２】
＜第七の実施形態＞
図１３は本発明による第七の実施形態による車両制御システムを示す図である。
車両制御システムは図１３で示すように、車両１が運行管理装置２と、走行管理装置３０を備えた車上信号装置３とをそれぞれ搭載するようにしてもよい。この場合の処理の各装置間の処理の流れは、第一〜第六の実施形態と同様である。
【００６３】
＜第八の実施形態＞
図１４は本発明による第八の実施形態による車両制御システムを示す図である。
車両制御システムは図１４で示すように、走行管理装置３０を車両外に設置するようにしてもよい。この場合は車上信号装置３と走行管理装置３０との間の無線通信が必要となるが、運行管理装置２、車上信号装置３、走行管理装置３０、リソース管理装置４の間の情報の流れは同様である。第八の実施形態の車両制御システムを構成する各装置構成は、第三実施形態を除く各実施形態に適用するものとする。
【００６４】
なお上述の車上信号装置３、走行管理装置３０、リソース管理装置４は、内部にコンピュータシステムを有している。上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしても良い。
【００６５】
上記プログラムは、前述した機能の一部を実現するプログラムであっても良い。上記プログラムは、前述した機能をコンピュータシステムにすでに記録されているプログラムとの組み合わせで実現できるもの、いわゆる差分ファイル（差分プログラム）であっても良い。
【産業上の利用可能性】
【００６６】
本発明は、車両制御システム、車両制御方法、走行管理装置、リソース管理装置、プログラムに適用してもよい。
【符号の説明】
【００６７】
１・・・車両
２・・・運行管理装置
３・・・車上信号装置
４・・・リソース管理装置
３０・・・走行管理装置
【図１】
0006596750.tif 000002
【図２】
0006596750.tif 000003
【図３】
0006596750.tif 000004
【図４】
0006596750.tif 000005
【図５】
0006596750.tif 000006
【図６】
0006596750.tif 000007
【図７】
0006596750.tif 000008
【図８】
0006596750.tif 000009
【図９】
0006596750.tif 000010
【図１０】
0006596750.tif 000011
【図１１】
0006596750.tif 000012
【図１２】
0006596750.tif 000013
【図１３】
0006596750.tif 000014
【図１４】
0006596750.tif 000015